(57)【要約】【課題】回胴式遊技機における操作部のセキュリティ度を高め、操作部に対する不正行為を防止する。【解決手段】回動式遊技機におけるスタートスイッチ、ストップスイッチなどの操作スイッチ群４０を、密閉ケース３０内に、ケース外から操作できるように封入する。操作スイッチ群４０と共に、操作スイッチ用基板をも密閉ケース３０内に封入する。密閉ケース３０はケース本体３１と、複数箇所での凹凸嵌合によりケース本体３１の開口部に脱離不能に装着されるカバー３２とからなり、開封した場合に痕跡が残る構造である。【選択図】図３
2008264115.tif 000002
【特許請求の範囲】
【請求項１】
回動式遊技機におけるスタートスイッチ、ストップスイッチなどの操作スイッチが、その基板と共に、開封した場合に痕跡が残る密閉ケース内にケース外からスイッチ操作できるように封入されており、前記密閉ケースはケース本体と、複数箇所での凹凸嵌合によりケース本体の開口部に脱離不能に装着されるカバーとからなる一体型操作ユニット。
【請求項２】
請求項１に記載の遊技機用基板ユニットにおいて、クレジット数、払出数などを表示する表示手段が、前記操作スイッチと共に、前記密閉ケース内にケース外から視認できるように封入されている一体型操作ユニット。
【請求項３】
請求項１に記載の一体型操作ユニットにおいて、前記ケース本体及び前記カバーの少なくとも一方に、密閉ケースの外壁部内面全周に沿って隔壁状のリブが一体形成されており、且つ前記少なくとも一方のケース表面又は裏面に対応する部分に、前記外壁部と前記リブとの間に位置して複数の貫通孔が全周を取り囲むように設けられている一体型操作ユニット。
【請求項４】
請求項１に記載の一体型操作ユニットにおいて、前記密閉ケース内の基板を制御用主基板とハーネスを介して接続するための密閉コネクタを具備する一体型操作ユニット。
【請求項５】
請求項４に記載の一体型操作ユニットにおいて、前記密閉コネクタは、前記基板の表面に実装されたプラグと、前記ハーネスの先端部に接続されており、前記プラグに挿入されてその挿入状態にロックされると共にそのロック状態を解除できる脱着式のジャックと、ジャックが挿入されない状態でプラグに装着され、そのプラグに挿入されたジャックによって前記装着状態に固定される固定台と、プラグに挿入されたジャックを覆うカバーであり、プラグに装着された固定台に取外し不能に結合されると共に、破壊が可能でその破壊によってのみ固定台から分離される保護蓋とを有する一体型操作ユニット。
【請求項６】
請求項５に記載の一体型操作ユニットにおいて、保護蓋は内部が透視可能な透光性樹脂からなる一体型操作ユニット。
【請求項７】
請求項５に記載の一体型操作ユニットにおいて、保護蓋はニッパー等による切断分離が容易な線状の膨出部を有する一体型操作ユニット。
【請求項８】
請求項７に記載の一体型操作ユニットにおいて、前記線状の膨出部は前記保護蓋を両側に２分する中央部に設けられている一体型操作ユニット。
【請求項９】
請求項５に記載の一体型操作ユニットにおいて、ジャックに接続されたハーネスが、固定台を装着状態に固定する係止部を兼ねる一体型操作ユニット。
【請求項１０】
請求項５に記載の一体型操作ユニットにおいて、保護蓋は、ジャックに備わる固定爪をロック状態に保持するストッパーを有する一体型操作ユニット。
【発明の詳細な説明】
【技術分野】
【０００１】
本発明は、パチスロ機と呼ばれる回胴式遊技機に使用される操作ユニットに関し、より詳しくは、操作部に対する不正行為を効果的に防止できるセキュリティ度の高い一体型操作ユニットに関する。
【背景技術】
【０００２】
近年、パチンコ機だけではなく、パチスロ機と称される回胴式遊技機を用いた遊技が、従来のパチンコホールやパチスロ専用ホールで盛んに行われている。これらの遊技機においては、制御用の主基板に搭載されたＲＯＭ内の情報により当選確率等が支配される。このため、制御用の主基板に対するセキュリティの確保が、機種を問わず重大な技術課題になっている。
【０００３】
すなわち、この種の遊技機においては、機器内を頻繁に操作する必要から、前扉により前面が開閉されるため、機器内の制御用主基板は否が応にも人目に曝されることになる。このため、制御用主基板の改造（ＲＯＭの付け替えなど）といった不正行為が後を絶たず、これに対処するために、制御用主基板の取付け装置に対しては、不正改造を阻止するための様々な工夫が講じられている（特許文献１）。
【０００４】
【特許文献１】特開２００１−１７０２５５号公報
【０００５】
しかし、遊技機に対する不正行為は年々高度化、複雑化しており、その行為は制御用主基板に止まらず、ストップスイッチなどの操作部にも及んでいる。具体的には、操作スイッチ用基板の配線コネクタに不正部品を介在させるといった手口が代表的である。
【０００６】
遊技機における主な操作スイッチとしては、メダル投入用のベッドスイッチ、スタートスイッチ、回転ドラムの個数に対応する複数のストップスイッチがある。従来の遊技機においては、これらの操作スイッチは、操作性のよい遊技機正面の中段部分に配置されているが、機構的にはそれぞれが独立しており、また改造等の不正行為に対しては、これといった対策を持ち合わせていない。
【０００７】
例えば、ベッドスイッチ及びスタートスイッチは中段部に形成された棚状操作部の上面にメダル投入口などと共に設けられている。複数個のストップスイッチはユニット化されている場合が多く、そのユニットは前記棚状操作部の正面又は上面に設けられている。これらの操作スイッチは、それそれぞれ専用の基板をもち、それぞれ専用のコネクタ、配線を介して制御用主基板と接続される。
【０００８】
制御用主基板のセキュリティ度は年々高まっており、これに対する不正改造は困難になってきている。これに対し、操作部のセキュリティ度は低い。具体的には、操作スイッチの裏側は配線、コネクタがむき出しであり、不正部品を介在させることはそれほど困難ではなく、しかも配線群、コネクタの数は多い。このために、操作部に対する不正行為が急増している。
【発明の開示】
【発明が解決しようとする課題】
【０００９】
本発明の目的は、不正行為を実質的に行うことができないセキュリティ度の高い遊技機用の一体型操作ユニットを提供することにある。本発明の別の目的は、セキュリティ度が高いにもかかわらず、内部基板の交換等が比較的容易な一体型操作ユニットを提供することにある。
【課題を解決するための手段】
【００１０】
上記目的を達成するために、本発明の一体型操作ユニットは、回動式遊技機におけるスタートスイッチ、ストップスイッチなどの操作スイッチが、その基板と共に、開封した場合に痕跡が残る密閉ケース内にケース外からスイッチ操作できるように封入されており、前記密閉ケースはケース本体と、複数箇所での凹凸嵌合によりケース本体の開口部に脱離不能に装着されるカバーとからなる構成を採用する。
【００１１】
これまでの操作スイッチは種類毎にばらばらに分散配置され、しかも裏側の配線、基板等が丸出しで、有効な不正対策を講じられていない。これに対し、本発明の一体型操作ユニットにおいては、全ての操作スイッチが１つの密閉ケース内に、基板と共にまとめて設けられている。このためスイッチの裏側や配線、基板に対する不正行為が実質的に不可能となる。また、操作スイッチを密閉ケース内に集中配置することにより、制御用主基板とのコネクタは一つで済み、これに有効な不正対策を講じることにより、不正対策はより完全になり、しかも対策費用は安価に抑制される。密閉ケースにけるケース本体とカバーとの凹凸嵌合による結合は、痕跡を残さずに開放することが不可能である。このため万一、密閉ケースが破壊されたときにはその痕跡が明確に残るので、不正行為があっても直ちにこれを発見できる。
【００１２】
本発明の一体型操作ユニットにおいては、クレジット数、払出数などを表示する表示手段は、操作スイッチと共に密閉ケース内にケース外から視認できるように設けるのが好ましく、ケース内の基板に実装するのがより好ましい。表示手段を操作スイッチと共に密閉ケース内に設けることにより、不正対策はより完全となり、かつ構成も簡略化され、経済性も向上する。表示手段を前記基板に実装した場合は、構成がより簡単となり経済性も一層向上する。
【００１３】
密閉ケースの構成としては、ケース本体及びカバーの少なくとも一方に、密閉ケースの外壁部内面全周に沿って隔壁状のリブを一体形成し、且つ前記少なくとも一方のケース表面又は裏面に対応する部分に、前記外壁部と前記リブとの間に位置して複数の貫通孔を全周を取り囲むように設けるのが好ましい。密閉ケースの表面又は裏面に対応する部分に、複数の貫通孔を全周を取り囲むように設けることにより、ニッパー等の工具で密閉ケースの表面又は裏面を比較的簡単に切開することができる。複数の貫通孔の内側に位置して、隔壁状のリブが設けられ、その内側に基板等が配置されて保護されているので、複数の貫通孔から基板等に不正行為を働く懸念はない。すなわち、切開用の複数の貫通孔が不正行為の原因となることはない。
【００１４】
制御用主基板などの外部回路とのコネクタとしては、前記密閉ケース内の基板の表面に実装されたプラグと、前記ハーネスの先端部に接続されており、前記プラグに挿入されてその挿入状態にロックされると共にそのロック状態を解除できる脱着式のジャックと、ジャックが挿入されない状態でプラグに装着され、そのプラグに挿入されたジャックによって前記装着状態に固定される固定台と、プラグに挿入されたジャックを覆うカバーであり、プラグに装着された固定台に取外し不能に結合されると共に、破壊が可能でその破壊によってのみ固定台から分離される保護蓋とを有する密閉コネクタが好ましい。
【００１５】
この密閉コネクタにおいては、密閉ケース内の基板の表面に実装されたプラグに固定台を装着し、この状態でプラグにジャックを挿入し固定すると、プラグに固定されたジャックによって固定台がプラグに固定される。その固定台に保護蓋を取付ければ、プラグ及びジャックが固定台及び保護蓋によって覆われ保護される。保護蓋は破壊しない限り固定台から取り外すことはできず、破壊した場合はその痕跡が明確に残る。このためプラグとジャックからなるコネクタ本体への不正行為が防止される。
【００１６】
遊技機メーカー或いはホールの側において、密閉ケース内の基板の交換等、密閉コネクタを開放し、コネクタ本体を分離しなければならなくなったときは、保護蓋を破壊する。これにより、保護蓋が固定台から分離される。保護蓋が外れるとコネクタ本体が露出し、ジャックの取外しが可能となる。ジャックが外れると、固定台はジャックによる拘束から解放され、プラグから外れる。保護蓋或いは保護蓋及び固定台は破壊され、再使用は不可能であるが、コネクタ本体は損傷を受けないので、次の接続においてもそのまま使用できる。次の接続では、新しい固定台及び保護蓋が必要になるが、プラグ・ジャックを交換する場合と比べて、交換に要する手数、経費は著しく軽減される。
【００１７】
ここで、コネクタ本体、すなわちプラグ・ジャックは市販品を使用できる。市販のコネクタに固定台・保護蓋を組み合わせることで、繰り返し使用を可能につつ、そのセキュリティ度を飛躍的に向上させることができるのが、この密閉コネクタの大きな特徴点の一つである。
【００１８】
保護蓋は、内部のコネクタ本体の状態を確認するために、内部の透視が可能な透光性樹脂により構成するのが好ましく、同じ理由から、固定台についても透光性樹脂により構成するのが好ましい。
【００１９】
コネクタ本体を脱着するときは保護蓋が破壊される。この破壊を容易ならしめるために、保護蓋はニッパー等による切断分離が容易な線状の膨出部を、破壊予定部として有するのが好ましい。この構成にあっても、破壊の痕跡が保護蓋に明確に残ることは言うまでもない。むしろ破壊予定部を意図的に形成することにより、破壊の有無の判断が容易になる。
【００２０】
破壊予定部である線状の膨出部は、保護蓋を両側に２分する中央部に設けるのが好ましい。これにより、保護蓋を両側へ容易に２分でき、固定台からの取外しが容易となる。
【００２１】
固定台は、プラグに挿入固定されたジャックにより固定位置に係止されるが、ジャックに接続されたハーネスを、固定台を装着状態に固定する係止部として利用することもできる。ハーネスの利用により、ジャックへの固定台の固定を、簡単な構成で、しかも確実に実現することができる。
【００２２】
保護蓋は又、ジャックに備わる固定爪をロック状態に保持するストッパーを有する構成が好ましい。この構成によると、仮に部外者が保護蓋に孔を空けてジャックの固定爪を解放状態へ操作しようとしても、解放状態への動作が阻止される。また、固定台に脱離方向の外力が付加された場合、ジャックの固定爪に解放方向の外力が付加されるおそれがあるが、固定爪の解放方向への動作が阻止される。これらにより、コネクタ本体のセキュリティ度を効果的に高めることができる。
【００２３】
固定台及び保護蓋は、プラグ・ジャックの向きに応じて上下反転して使用することもできる。
【発明の効果】
【００２４】
本発明の一体型操作ユニットは、回動式遊技機におけるスタートスイッチ、ストップスイッチなどの操作スイッチを、開封した場合に痕跡が残る密閉ケース内に正面から操作できるようにまとめて設けると共に、前記操作スイッチ用の基板をその密閉ケース内に合わせて封入したので、操作スイッチの裏側や配線、基板に対する不正行為を実質不可能にすることができる。また、仮に不正行為が行われたとしてもその痕跡がケースに残るので、これを直ちに発見することができる。これらにより、操作部のセキュリティ度を著しく高めることができる。
【発明を実施するための最良の形態】
【００２５】
以下、本発明の実施形態を図面に基づいて詳細に説明する。図１は本発明の第１実施形態に係る一体型操作ユニットの使用状態を示す斜視図、図２は同使用状態を示す斜視図、図３は同操作ユニットの斜視図、図４は同操作ユニットの一部破断斜視図、図５は図３中のＡ−Ａ線断面矢示図、図６は同操作ユニットの背面図である。
【００２６】
第１実施形態の一体型操作ユニットは、スロットルマシンと呼ばれる回動式遊技機の操作部として使用され、より具体的には、図１及び図２に示すように、遊技機１０の正面の中段部から下段部にかけての部分に取付けられており、より具体的には、遊技機１０の正面の中段部から下段部にかけての部分に操作部として形成された棚状突出部１１の上面凹部１２に上方から嵌合されて使用される。
【００２７】
この操作ユニット２０は、図３〜図６に示すように、樹脂からなる横長の密閉ケース３０と、密閉ケース３０内にケース上面側から操作できるように取付けられた操作スイッチ群４０と、密閉ケース１０内にその内底面に沿って設けられた基板５０とを備えている。基板５０上には、操作に関連する各種電子部品の他に、前記操作スイッチ群４０が実装されている。
【００２８】
密閉ケース３０は、正面側の両側の角を丸めた横に長い直方体であり、その底部を形成する容器状のケース本体３１と、これに被着される逆容器状のカバー３２とからなる。ケース本体３１は底板とその外縁部から上方へ延出した周壁とからなる。周壁の上端部は、カバー３２との嵌合とのために他の部分より薄くなっており、より詳しくは外側部分が欠如することで薄くなっている。この薄肉嵌合部には、複数の連結固定用の嵌合爪３３が、所定間隔で全周にわたって設けられている。個々の嵌合爪３３は、厚み方向の変形能を付与するために、薄肉嵌合部に所定幅で設けられた一対のスリット間に形成されており、外側に突出する凸部３４を有している。
【００２９】
カバー３２は、ケース本体３１の底板に平行な天板と、その外縁部から下方へ延出た周壁とからなる。天板には、操作スイッチ群４０の操作部を上方へ突出させるために、複数の開口部が操作スイッチ群４０に対応して設けられている。天板の外縁部には、多数の貫通孔３５が所定間隔で全周にわたって設けられている。個々の貫通孔３５は天板の外縁に沿って延びる長孔であり、ニッパーの先が入る程度の長さ及び幅に設計されている。
【００３０】
天板の外縁部には又、天板の裏面から下方へ延出する隔壁状のリブ３６が設けられている。リブ３６は、前述した多数の貫通孔３５より内側にあり、内側を取り囲むように周壁の内面に沿って周方向に切れ目なく形成されている。リブ３６の高さは、密閉ケース３０内の高さと実質同一であり、カバー３２をケース本体３１に被着した状態で、下端がケース本体３１の底板に接触又は僅かの隙間をあけてその底板に対向するように設定されている。そして、底板上のリブ３６で囲まれた部分に基板５０が取付けられている。
【００３１】
カバー３２の周壁の下端部は、ケース本体３１の周壁の下端部に形成された薄肉嵌合部に対応する薄肉嵌合部であり、内側部分が欠如することで薄くなっている。そして、この薄肉嵌合部の内面には、前述した嵌合爪３３の凸部３４に対応する凹部３７が、周方向に所定間隔で設けられている。カバー３２をケース本体３１に被着すると、複数の嵌合爪３３が内側へ弾性変形し、それぞれの凸部３４が対応する凹部３７に嵌合する。凸部３４及び凹部３７は一旦嵌合すると密閉ケース１０の破壊なしでは脱離しない形状に設計れされている。
【００３２】
操作スイッチ群４０は押し下げスイッチであって、上面操作部がカバー３２の上方に突出しており、左から順に３ベットスイッチ４１、スタートスイッチ４２、ストップスイッチ４３〜４５、及び中心部に決定キーを備えた４方向スイッチ４６である。これらのスイッチは、密閉ケース１０内の基板５０上に直接実装されている。
【００３３】
また、図示されてる以外にも、各種のスイッチ類がカバー３２の上方に突出して設けられると共に、各種表示手段がカバー３２の天板を通して目視できるように設けされている。これらもまた、操作スイッチ群４０と同様に、密閉ケース１０内の基板５０上に直接実装されている。
【００３４】
密閉ケース１０は又、当該ケース１０内の基板５０と、遊技機１０内に設けられた制御用主基板との電気的接続のために、背面に密閉コネクタ１００を装備している。密閉コネクタ１００はハーネス６０を介して前記制御用主基板と接続される。
【００３５】
以下にこの密閉コネクタ１００の構造を図５及び図７〜図１３に基づいて詳述する。図７〜図１３は密閉コネクタ１００の詳細構造を示す操作ユニットの背面側からの斜視図である。
【００３６】
密閉コネクタ１００は市販品（ＫＥＬ８８２５シリーズ）からなるコネクタ本体１２０を使用する。このコネクタ本体１２０は密閉ケース２０内の基板５０の表面にリード７０を介して実装されるプラグ１２１と、これに差し込まれるジャック１２２とからなる。プラグ２１は横に長い長方形の樹脂ブロックであり、ジャック２２を受け入れるために、密閉ケース３０のケース本体３１の背面部に設けられた横長の開口部３８からケース本体３１の背面側に突出している。
【００３７】
レセクタプルと呼ばれるジャック１２２は、プラグ１２１に対応する横に長い長方形の樹脂ブロックであって、ベルト状のハーネス６０の先端部に接続されており、プラグ１２１に挿入されてプラグ１２１と電気的に接続される。ジャック１２２の不用意な脱離を防止するために、ジャック１２２は回動式の固定爪１２３，１２３を両側部に装備している。両側の固定爪１２３，１２３は、垂直な回動支点の先端側に爪部１２４，１２４、手前側に操作部１２５，１２５をそれぞれ有しており、ジャック１２２が未挿入の状態で操作部１２５，１２５が内側へ押し込まれ、爪部１２４，１２４が外側へ開く。この状態からジャック１２２をプラグ１２１に押し込むと、先端側の爪部１２４，１２４が内側へ閉じ、手前側の操作部１２５，１２５が外側へ開く。先端側の爪部１２４，１２４が内側へ閉じることにより、ジャック１２２はプラグ１２１に脱離不能に固定される。この状態で手前側の操作部１２５，１２５を内側へ押し込むと、先端側の爪部１２４，１２４が外側へ開いてプラグ１２１から外れ、ジャック２２はプラグ１２１から離脱可能となる。
【００３８】
このようなコネクタ本体１２０は、不正行為防止のために、当該コネクタ本体１２０に固定される固定台１５０と、固定台１５０に取付けられる保護蓋１６０と組み合わされる。固定台１５０及び保護蓋１６０は、内部のコネクタ本体１２０の状態を外部から視認できるように、透明な樹脂により構成されている。
【００３９】
固定台１５０は、プラグ１２１を包囲する長方形の枠体である。この固定台１５０はプラグ１２１に嵌合する長方形の本体部１５１と、本体部１５１の後部を包囲するべくその外側に一体的に設けられた角枠状の保護部１５２とを有している。本体部１５１の後部外面、特に上面の両側部及び下面の両側部には、保護蓋１６０を係止するための突起１５３がそれぞれ設けられている。保護部１５２は、下側の中央部を残して本体部１５１の後部を包囲しており、本体部１５１とは後端部で一体化されている。下側の中央部を開放部としているのは、ハーネス６０を外部へ引き出すための開口部を形成するためである。
【００４０】
この固定台１５０はコネクタ本体１２０のプラグ１２１に外嵌し、この状態でプラグ１２１にジャック１２２を装着することにより、コネクタ１２０に固定される。具体的には、プラグ１２１に差し込まれたジャック１２２、特にジャック１２２に接続されたハーネス６０により主に抜け止めされる。具体的に説明すると、ハーネス６０の端部は逆Ｕ字状に折り曲げてジャック１２２に固定されており、先端部がジャック１２２の下方へ、また折り曲げ頂部１３１がジャック１２２の上方へ各突出している。プラグ１２１に外嵌された固定台１５０は、そのプラグ１２１に装着されたジャック１２２、特にそのジャック１２２から上方へ突出するハーネス６０の折り曲げ頂部６１により主に抜け止めされ、コネクタ本体１２０に固定される。また、両側の固定爪１２３，１２３の外側に開いた操作部１２５，１２５や、ジャック２１２から下方へ突出するハーネス６０の先端部も固定台１５０の抜け止めに寄与する。
【００４１】
保護蓋１６０は、長方形の固定台１５０に連結固定されてコネクタ本体１２０を覆う横に長い長方形のキャップ状樹脂体である。保護蓋１６０の後部外面、特に上面の両側部及び下面の両側部には、固定台１５０の突起１５３が嵌合する複数の開口部１６１が設けられている。保護蓋１６０の下面側の後部には、両側部を残して横に長い切欠き部１６２が設けられている。切欠き部１６２は、固定台１５０の開放部と共同して、ハーネス６０を外部へ引き出すための開口部を形成する。
【００４２】
保護蓋１６０の中央部には、線状の膨出部１６３が受けられている。線状の膨出部１６３は、断面が外に凸の半円形をした湾曲部であって、保護蓋１６０の上面部、正面部及び下面部に保護蓋１５０を左右に２分するように設けられている。この膨出部１６３はニッパー等で容易に切除することができる。この切除により、保護蓋１６０は左右に２分割される。保護蓋１６０の正面部には、両側一対のストッパー１６４，１６４が設けられている。ストッパー１６４，１６４は、正面部の裏面から裏側へ突出した棒体であり、保護蓋１６０を固定台１５０へ装着した状態で、ジャック１２２の両側の固定爪１２３，１２３の外側へ開いた操作部１２５，１２５の内側に位置して、操作部１２５，１２５が内側へ移動するのを阻止する。これにより、ジャック１２２はプラグ１２１に固定された状態を維持する。
【００４３】
次に、第１実施形態の一体型操作ユニットの機能について説明する。
【００４４】
前述したとおり、本実施形態の一体型操作ユニット２０は、回動式遊技機１０の正面の中段部から下段部にかけての部分に操作部として形成された棚状突出部１１の上面凹部１２に嵌合される。棚状突出部１１の上面凹部１２に嵌合された操作ユニット２０は、遊技機１０内から固定される。遊技機１０内の制御用主基板から引き出されたハーネス６０は、上面凹部１２の後面に設けられた開口部１３から上面凹部１２内に引き込まれており、密閉コネクタ１００により操作ユニット２０内の基板５０と接続される。
【００４５】
遊技中の操作ユニット２０における操作はこれまでの操作部と変わらない。
【００４６】
この操作ユニット２０では、全ての操作スイッチ群４０が表示手段等と共にひとまとめにされて基板５０と共に密閉ケース３０内に封入されており、これにより、スイッチの裏側及び基板５０の両面が密閉ケース３０内に封入され保護される。密閉ケース３０はケース本体３１にカバー３２を被着することで、凹凸嵌合により脱離不能となり、破壊しない限り開くことができない状態となる。破壊した場合はその痕跡が明瞭に残るので、操作部に対する不正行為が大変困難となり、事実上不可能となり、そのセキュリティ度が飛躍的に向上する。すなわち、操作部に対して不正行為を行い得る箇所が数的に減少し、かつ難度が高まるのである。
【００４７】
密閉ケース３０内の操作スイッチ４０が故障したり基板５０が故障した場合は、これらを調査し、必要に応じて交換する。この場合、密閉ケース３０を開放しなければならない。ケース本体３１とカバー３２は強固に結合されているので、開放のための破壊が困難である。しかるに、この密閉ケース３０では、カバー３２の天板の外縁部に多数の貫通孔３５が所定間隔で全周にわたって設けられている。そして最初に特定の貫通孔３５にニッパーの先を差し込み、後は貫通孔３５の並んでいるところを順次切断していく。そうすることにより、カバー３２の天板を簡単に切開できる。このとき、操作ユニット２０を回動式遊技機１０の棚状突出部１１から取り外しておけば、作業が楽である。第三者がこの切開を行えば、大きな痕跡が残ることは言うまでもない。
【００４８】
密閉コネクタ１００における接続作業、分離作業は次のようにして行われる。このとき、操作ユニット２０は回動式遊技機１０の棚状突出部１１から取り外しておく。
【００４９】
密閉コネクタ１００において、コネクタ本体１２０を接続する場合は、図７及び図８に示すように、密閉ケース３０内の基板５０の表面に実装されて密閉ケース３０の背面側へ露出するコネクタ本体１２０のプラグ１２１に角枠状の固定台１５０を外嵌装着する。次いで、そのプラグ１２１に、ハーネス６０の先端部に接続されたジャック１２２を差し込む。差し込まれたジャック１２２は両側の固定爪１２３，１２３によりプラグ１２１に脱離不能に固定される。具体的には、両側の固定爪１２３，１２３が先広がりの解放状態から先すぼまりのロック状態に回動し、先端側の爪部１２４，１２４がプラグ１２１に係合する。これに伴って、手前側の操作部１２５，１２５は外側に広がる。プラグ１２１に固定されたジャック１２２のハーネス６０の突出部、及び両側の操作部１２５，１２５により、固定台１５０はプラグ本体１２０に対して抜け止めされ固定される。
【００５０】
プラグ１２１へのジャック１２２の挿入、及び固定台１５０の固定が終わると、図９及び図１０に示すように、固定された固定台１５０に角キャップ状の保護蓋１６０を押し込み固定する。保護蓋１６０の後部が固定台１５０の本体部１５１と保護部１５２との間に差し込まれ、固定台１５０の４つの突起１５３が保護蓋１６０の４つの開口部１６１に嵌合することにより、保護蓋１６０は固定台１５０に脱離不能に固定される。ジャック１２０の固定爪１２３，１２３の操作部１２５，１２５の内側にストッパー１６４，１６４が存在するため、固定爪１２３，１２３が解放方向へ動作する危険もない。特に、保護蓋１６０の側面に孔を開けてジャック１２２を外す（固定爪１２３の操作部１２５を内側へ押す）ような不正行為が試みられても、固定爪１２３は回動しないので、このような不正行為を防止できる。
【００５１】
ハーネス６０はプラグ１２２から、固定台１５０と保護蓋１６０の間を経て下側へ引き出される。
【００５２】
固定台１５０に固定された保護蓋１６０は、破壊しない限り固定台１５０から脱離しない。もし仮に、保護蓋１６０が破壊されて内部のコネクタ１２０に不正行為が行われた場合、その保護蓋１６０を再装着しても保護蓋１６０に破壊の痕跡が明確に残るので、不正行為が一目で分かる。固定台１５０及び保護蓋１６０は共に透明樹脂からなり、内部を視認できるので、内部のコネクタ本体１２０の状態を外部から監視できる。固定台１５０及び保護蓋１６０の上下反転使用が可能なことは前述したとおりである。
【００５３】
密閉ケース２０内の基板５０が不良品であったり故障を生じた場合は、基板５０を交換しなければならない。そのときは、コネクタ本体１２０のプラグ１２１からジャック１２２を意図的に引き抜く必要がある。この場合は、図１１に示すように、保護蓋１６０の中央部（上面、正面、下面）に設けられた線状の膨出部１６３をニッパー等の工具で切除する。これにより、保護蓋１６０は左右に２分割される。左右に２分割されれば、図１２及び図１３に示すように、分割部にドライバー等の工具を差し込み、保護蓋１６０を半分ずつこじ開け、固定台１５０から分離する。このように、保護蓋１６０は、膨出部１６３の切除により、比較的簡単に破壊され、固定台１５０から除去することができる。
【００５４】
保護蓋１６０が除去されると、通常の操作によりコネクタ本体１２０のジャック１２２をプラグ１２１から引き抜く。すなわち、両側の固定爪１２３，１２３をロック状態から解放状態へ操作し、ジャック１２２を手前へ引き抜く。保護蓋１６０が除去されていれば、ストッパー１６４，１６４による阻止がないので、固定爪１２３，１２３はスムーズに操作される。これにより、市販品であるコネクタ本体１２０を傷つけることなく分離することができる。基板５０の交換が終わると、プラグ１２１にジャック１２２を再度差し込む。
【００５５】
図１４は本発明の第２実施形態に係る一体型操作ユニットの使用状態を示す斜視図、図１５は同使用状態を示す斜視図、図１５は同操作ユニットの斜視図、図１７は同操作ユニットの一部破断斜視図、図１８は図１６中のＢ−Ｂ線断面矢示図である。
【００５６】
第２実施形態の一体型操作ユニットは、第１実施形態の一体型操作ユニットと同様に、スロットルマシンと呼ばれる回動式遊技機の操作部として使用されるものであり、より具体的には、図１４及び図１５に示すように、遊技機１０の正面の中段部から下段部にかけての部分に取付けられており、より具体的には、遊技機１０の正面の中段部から下段部にかけての部分に操作部として形成された棚状突出部１１の上面凹部１２に上方から嵌合されて使用される。
【００５７】
この操作ユニット２０は、図１５〜図１８に示すように、樹脂からなる横長の密閉ケース３０と、密閉ケース３０内にケース上面側から操作できるように取付けられた操作スイッチ群４０と、密閉ケース１０内にその内底面に沿って設けられた基板５０とを備えている。基板５０上には、操作に関連する各種電子部品の他に、前記操作スイッチ群４０が実装されている。
【００５８】
密閉ケース３０は、正面側の両側の角を丸めた横に長い直方体であり、その底部を形成する容器状のケース本体３１と、これに被着される逆容器状のカバー３２とからなる。ケース本体３１は底板とその外縁部から上方へ延出した周壁とからなる。周壁の上端部は、カバー３２との嵌合とのために他の部分より薄くなっており、より詳しくは外側部分が欠如することで薄くなっている。この薄肉嵌合部には、複数の連結固定用の嵌合爪３３が、所定間隔で全周にわたって設けられている。個々の嵌合爪３３は、厚み方向の変形能を付与するために、薄肉嵌合部に所定幅で設けられた一対のスリット間に形成されており、外側に突出する凸部３４を有している。
【００５９】
ケース本体３１の底板の外縁部には、多数の貫通孔３５が所定間隔で全周にわたって設けられている。個々の貫通孔３５は底板の外縁に沿って延びる長孔であり、ニッパーの先が入る程度の長さ及び幅に設計されている。
【００６０】
カバー３２は、ケース本体３１の底板に平行な天板と、その外縁部から下方へ延出た周壁とからなる。天板には、操作スイッチ群４０の操作部を上方へ突出させるために、複数の開口部が操作スイッチ群４０に対応して設けられている。
【００６１】
天板の外縁部には又、天板の裏面から下方へ延出する隔壁状のリブ３６が設けられている。リブ３６は、前述したケース本体３１の底板外縁部に設けられた多数の貫通孔３５より内側にあり、その内側を取り囲むように周壁の内面に沿って周方向に切れ目なく形成されている。リブ３６の高さは、密閉ケース３０内の高さと実質同一であり、カバー３２をケース本体３１に被着した状態で、下端がケース本体３１の底板に接触又は僅かの隙間をあけてその底板に対向するように設定されている。そして、底板上のリブ３６で囲まれた部分に基板５０が取付けられることにより、貫通孔３５を通した不正行為から基板５０が保護される。
【００６２】
カバー３２の周壁の下端部は、ケース本体３１の周壁の下端部に形成された薄肉嵌合部に対応する薄肉嵌合部であり、内側部分が欠如することで薄くなっている。そして、この薄肉嵌合部の内面には、前述した嵌合爪３３の凸部３４に対応する凹部３７が、周方向に所定間隔で設けられている。カバー３２をケース本体３１に被着すると、複数の嵌合爪３３が内側へ弾性変形し、それぞれの凸部３４が対応する凹部３７に嵌合する。凸部３４及び凹部３７は一旦嵌合すると密閉ケース１０の破壊なしでは脱離しない形状に設計れされている。
【００６３】
操作スイッチ群４０は押し下げスイッチであって、上面操作部がカバー３２の上方に突出しており、左から順に３ベットスイッチ４１、スタートスイッチ４２、ストップスイッチ４３〜４５、及び中心部に決定キーを備えた４方向スイッチ４６である。これらのスイッチは、密閉ケース１０内の基板５０上に直接実装されている。
【００６４】
また、図示されてる以外にも、各種のスイッチ類がカバー３２の上方に突出して設けられると共に、各種表示手段がカバー３２の天板を通して目視できるように設けされている。これらもまた、操作スイッチ群４０と同様に、密閉ケース１０内の基板５０上に直接実装されている。
【００６５】
密閉ケース１０は又、当該ケース１０内の基板５０と、遊技機１０内に設けられた制御用主基板との電気的接続のために、背面に密閉コネクタ１００を装備している。密閉コネクタ１００はハーネス６０を介して前記制御用主基板と接続される。この密閉コネクタ１００の構造は、第１実施形態の一体型操作ユニットの背面に取付けられたコネクタ１００（図７〜図１３）と同じ構造なので、詳しい説明を省略する。
【００６６】
第２実施形態の一体型操作ユニットの機能は以下のとおりである。
【００６７】
第２実施形態の一体型操作ユニット２０は、第１実施形態の一体型操作ユニット２０と同様、回動式遊技機１０の正面の中段部から下段部にかけての部分に操作部として形成された棚状突出部１１の上面凹部１２に嵌合される。棚状突出部１１の上面凹部１２に嵌合された操作ユニット２０は、遊技機１０内から固定される。遊技機１０内の制御用主基板から引き出されたハーネス６０は、上面凹部１２の後面に設けられた開口部１３から上面凹部１２内に引き込まれており、密閉コネクタ１００により操作ユニット２０内の基板５０と接続される。
【００６８】
遊技中の操作ユニット２０における操作はこれまでの操作部と変わらない。
【００６９】
この操作ユニット２０では、全ての操作スイッチ群４０が表示手段等と共に、ひとまとめにされて基板５０と共に密閉ケース３０内に封入されており、これにより、スイッチの裏側及び基板５０の両面が密閉ケース３０内に封入され保護される。密閉ケース３０はケース本体３１にカバー３２を被着することで、凹凸嵌合により脱離不能となり、破壊しない限り開くことができない状態となる。破壊した場合はその痕跡が明瞭に残るので、操作部に対する不正行為が大変困難となり、事実上不可能となり、そのセキュリティ度が飛躍的に向上する。すなわち、操作部に対して不正行為を行い得る箇所が数的に減少し、かつ難度が高まるのである。
【００７０】
密閉ケース３０内の操作スイッチ４０が故障したり基板５０が故障した場合は、これらを調査し、必要に応じて交換する。この場合、まず操作ユニット２０を回動式遊技機１０の棚状突出部１１から取り外し、密閉ケース３０の底面を露出させた後、密閉ケース３０を開放する。ケース本体３１とカバー３２は強固に結合されているので、開放のための破壊が困難である。しかるに、この密閉ケース３０では、ケース本体３１の底板の外縁部に多数の貫通孔３５が所定間隔で全周にわたって設けられている。そして最初に特定の貫通孔３５にニッパーの先を差し込み、後は貫通孔３５の並んでいるところを順次切断していく。そうすることにより、ケース本体３１の底板を簡単に切開できる。第三者がこの切開を行えば、大きな痕跡が残ることは言うまでもない。
【００７１】
第２実施形態の一体型操作ユニットでは、切開のための貫通孔３５が密閉ケース３０の底面に設けられている。この底面はユニットの使用状態、すなわち回動式遊技機１０の正面の中段部から下段部にかけての部分に操作部として形成された棚状突出部１１の上面凹部１２にユニットが嵌合された状態では隠れて見えない。この点においてもセキュリティ度が高い。
【００７２】
ちなみに、第１実施形態の一体型操作ユニットでは、切開のための貫通孔３５が密閉ケース３０の上面に設けられ、使用状態で露出する。貫通孔３５の露出は問題なので、密閉ケース３０の上面にシールを貼って貫通孔３５を隠すといった対策が必要である。
【００７３】
また、貫通孔３５を通した不平行為を防止するためのリブ３６は、第１実施形態及び第２実施形態のいずれにおいても、カバー３２の天板に一体的に設けられているが、カバー本体３１の底板から上方へ突出する構造でもよい。
【図面の簡単な説明】
【００７４】
【図１】本発明の第１実施形態に係る一体型操作ユニットの使用状態を示す斜視図である。
【図２】同使用状態を示す斜視図である。
【図３】同操作ユニットの斜視図である。
【図４】同操作ユニットの一部破断斜視図
【図５】図３中のＡ−Ａ線断面矢示図である。
【図６】同操作ユニットの背面図である。
【図７】密閉コネクタの詳細構造及び操作手順を示す操作ユニットの背面側からの斜視図である。
【図８】密閉コネクタの詳細構造及び操作手順を示す操作ユニットの背面側からの斜視図である。
【図９】密閉コネクタの詳細構造及び操作手順を示す操作ユニットの背面側からの斜視図である。
【図１０】密閉コネクタの詳細構造及び操作手順を示す操作ユニットの背面側からの斜視図である。
【図１１】密閉コネクタの詳細構造及び操作手順を示す操作ユニットの背面側からの斜視図である。
【図１２】密閉コネクタの詳細構造及び操作手順を示す操作ユニットの背面側からの斜視図である。
【図１３】密閉コネクタの詳細構造及び操作手順を示す操作ユニットの背面側からの斜視図である。
【図１４】本発明の第１実施形態に係る一体型操作ユニットの使用状態を示す斜視図である。
【図１５】同使用状態を示す斜視図である。
【図１６】同操作ユニットの斜視図である。
【図１７】同操作ユニットの一部破断斜視図
【図１８】図１６中のＢ−Ｂ線断面矢示図である。
【符号の説明】
【００７５】
１０  遊技機
２０  操作ユニット
３０  密閉ケース
３１  ケース本体
３２  カバー
３３  嵌合爪
３４  凸部
３５  貫通孔
３６  リブ
３７  凹部
４０  操作スイッチ群
５０  基板
６０  ハーネス
１００  密閉コネクタ
１２０  コネクタ本体
１２１  プラグ
１２２  ジャック
１２３  固定爪
１３０  ハーネス
１３１  折り曲げ頂部
１４０  制御用主基板
１５０  固定台
１６０  保護蓋
１６３  切断分離用の膨出部
１６４  ストッパー
【図１】
2008264115.tif 000003
【図２】
2008264115.tif 000004
【図３】
2008264115.tif 000005
【図４】
2008264115.tif 000006
【図５】
2008264115.tif 000007
【図６】
2008264115.tif 000008
【図７】
2008264115.tif 000009
【図８】
2008264115.tif 000010
【図９】
2008264115.tif 000011
【図１０】
2008264115.tif 000012
【図１１】
2008264115.tif 000013
【図１２】
2008264115.tif 000014
【図１３】
2008264115.tif 000015
【図１４】
2008264115.tif 000016
【図１５】
2008264115.tif 000017
【図１６】
2008264115.tif 000018
【図１７】
2008264115.tif 000019
【図１８】
2008264115.tif 000020
【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
回動式遊技機におけるスタートスイッチ、ストップスイッチなどの操作スイッチが、その基板と共に、開封した場合に痕跡が残る密閉ケース内にケース外からスイッチ操作できるように封入され、且つ、前記密閉ケースが、ケース本体と、複数箇所での凹凸嵌合によりケース本体の開口部に装着されるカバーからなる一体型操作ユニットにおいて、
前記密閉ケース内の基板を制御用主基板とハーネスを介して接続するための密閉コネクタを具備し、
前記密閉コネクタは、
前記基板の表面に実装されたプラグと、
前記ハーネスの先端部に接続されており、前記プラグに挿入されてその挿入状態にロックされると共にそのロック状態を解除できる脱着式のジャックと、
前記ジャックが挿入されない状態で前記プラグに装着され、前記プラグに挿入された前記ジャックによって前記装着状態に固定される固定台と、
前記プラグに挿入されたジャックを覆うカバーであり、前記プラグに装着された前記固定台に結合される保護蓋と、
を有することを特徴とする一体型操作ユニット。
【請求項２】
請求項１に記載の一体型操作ユニットにおいて、
前記保護蓋は、内部が透視可能な透光性樹脂からなること、
を特徴とする一体型操作ユニット。
【請求項３】
請求項１または請求項２に記載の一体型操作ユニットにおいて、
前記密閉ケースは、ケース本体と、複数箇所での凹凸嵌合によりケース本体の開口部に装着されるカバーとからなり、
前記ケース本体及び前記カバーの少なくとも一方に、密閉ケースの外壁部内面全周に沿って隔壁状のリブが一体形成されており、且つ前記少なくとも一方のケース表面又は裏面に対応する部分に、前記外壁部と前記リブとの間に位置して複数の貫通孔が全周を取り囲むように設けられていること、
を特徴とする一体型操作ユニット。
【請求項４】
スタートスイッチ、ストップスイッチなどの操作スイッチが、その基板と共に、開封した場合に痕跡が残る密閉ケース内にケース外からスイッチ操作できるように封入され、且つ、前記密閉ケースが、ケース本体と、複数箇所での凹凸嵌合によりケース本体の開口部に装着されるカバーからなる一体型操作ユニットを有する回動式遊技機において、
前記密閉ケース内の基板を制御用主基板とハーネスを介して接続するための密閉コネクタを具備し、
前記密閉コネクタは、
前記基板の表面に実装されたプラグと、
前記ハーネスの先端部に接続されており、前記プラグに挿入されてその挿入状態にロックされると共にそのロック状態を解除できる脱着式のジャックと、
前記ジャックが挿入されない状態で前記プラグに装着され、前記プラグに挿入された前記ジャックによって前記装着状態に固定される固定台と、
前記プラグに挿入されたジャックを覆うカバーであり、前記プラグに装着された前記固定台に結合される保護蓋と、
を有することを特徴とする回動式遊技機。
【請求項５】
請求項４に記載の回動式遊技機において、
前記保護蓋は、内部が透視可能な透光性樹脂からなること、
を特徴とする回動式遊技機。
【請求項６】
請求項４または請求項５に記載の回動式遊技機において、
前記密閉ケースは、ケース本体と、複数箇所での凹凸嵌合によりケース本体の開口部に装着されるカバーとからなり、
前記ケース本体及び前記カバーの少なくとも一方に、密閉ケースの外壁部内面全周に沿って隔壁状のリブが一体形成されており、且つ前記少なくとも一方のケース表面又は裏面に対応する部分に、前記外壁部と前記リブとの間に位置して複数の貫通孔が全周を取り囲むように設けられていること、
を特徴とする回動式遊技機。
【手続補正３】
【補正対象書類名】明細書
【補正対象項目名】００１０
【補正方法】変更
【補正の内容】
【００１０】
上記目的を達成するために、請求項１に係る本発明の一体型操作ユニットは、回動式遊技機におけるスタートスイッチ、ストップスイッチなどの操作スイッチが、その基板と共に、開封した場合に痕跡が残る密閉ケース内にケース外からスイッチ操作できるように封入され、且つ、前記密閉ケースが、ケース本体と、複数箇所での凹凸嵌合によりケース本体の開口部に装着されるカバーからなる一体型操作ユニットにおいて、前記密閉ケース内の基板を制御用主基板とハーネスを介して接続するための密閉コネクタを具備し、前記密閉コネクタは、前記基板の表面に実装されたプラグと、前記ハーネスの先端部に接続されており、前記プラグに挿入されてその挿入状態にロックされると共にそのロック状態を解除できる脱着式のジャックと、前記ジャックが挿入されない状態で前記プラグに装着され、前記プラグに挿入された前記ジャックによって前記装着状態に固定される固定台と、前記プラグに挿入されたジャックを覆うカバーであり、前記プラグに装着された前記固定台に結合される保護蓋とを有することを特徴とする。
請求項２に係る本発明の一体型操作ユニットは、請求項１に記載の一体型操作ユニットにおいて、前記保護蓋は、内部が透視可能な透光性樹脂からなることを特徴とする。
請求項３に係る本発明の一体型操作ユニットは、請求項１または請求項２に記載の一体型操作ユニットにおいて、前記密閉ケースは、ケース本体と、複数箇所での凹凸嵌合によりケース本体の開口部に装着されるカバーとからなり、前記ケース本体及び前記カバーの少なくとも一方に、密閉ケースの外壁部内面全周に沿って隔壁状のリブが一体形成されており、且つ前記少なくとも一方のケース表面又は裏面に対応する部分に、前記外壁部と前記リブとの間に位置して複数の貫通孔が全周を取り囲むように設けられていることを特徴とする。
請求項４に係る本発明の回動式遊技機は、スタートスイッチ、ストップスイッチなどの操作スイッチが、その基板と共に、開封した場合に痕跡が残る密閉ケース内にケース外からスイッチ操作できるように封入され、且つ、前記密閉ケースが、ケース本体と、複数箇所での凹凸嵌合によりケース本体の開口部に装着されるカバーからなる一体型操作ユニットを有する回動式遊技機において、前記密閉ケース内の基板を制御用主基板とハーネスを介して接続するための密閉コネクタを具備し、前記密閉コネクタは、前記基板の表面に実装されたプラグと、前記ハーネスの先端部に接続されており、前記プラグに挿入されてその挿入状態にロックされると共にそのロック状態を解除できる脱着式のジャックと、前記ジャックが挿入されない状態で前記プラグに装着され、前記プラグに挿入された前記ジャックによって前記装着状態に固定される固定台と、前記プラグに挿入されたジャックを覆うカバーであり、前記プラグに装着された前記固定台に結合される保護蓋とを有することを特徴とする。
請求項５に係る本発明の回動式遊技機は、請求項４に記載の回動式遊技機において、前記保護蓋は、内部が透視可能な透光性樹脂からなることを特徴とする。
請求項６に係る本発明の回動式遊技機は、請求項４または請求項５に記載の回動式遊技機において、前記密閉ケースは、ケース本体と、複数箇所での凹凸嵌合によりケース本体の開口部に装着されるカバーとからなり、前記ケース本体及び前記カバーの少なくとも一方に、密閉ケースの外壁部内面全周に沿って隔壁状のリブが一体形成されており、且つ前記少なくとも一方のケース表面又は裏面に対応する部分に、前記外壁部と前記リブとの間に位置して複数の貫通孔が全周を取り囲むように設けられていることを特徴とする。